(57)【特許請求の範囲】
【請求項１】
冷蔵庫内のダンパー上での氷の形成を防止する方法であって、
前記方法は、
（１）冷凍室温度が冷凍室基準温度よりも高く且つ冷蔵室温度が冷蔵室基準温度よりも高い場合、圧縮器及びファンを駆動させてバッフルを開放するステップと、
（２）前記冷蔵室温度と前記冷蔵室基準温度とを比較し、前記冷蔵室温度が前記冷蔵室基準温度よりも低い場合に前記バッフルを閉鎖するステップと、
（３）前記冷凍室温度と前記冷凍室基準温度とを比較し、前記冷凍室温度が前記冷凍室基準温度よりも低い場合に前記圧縮器及び前記ファンを停止させるステップと、
（４）前記冷蔵庫の外部温度と外部基準温度とを比較し、前記冷蔵庫の外部温度が前記外部基準温度よりも高い場合に前記ステップ（１）に戻るステップと、
（５）前記冷蔵庫の外部温度が前記外部基準温度よりも低い場合に前記冷蔵室のドアが開放しているか否かを判断し、前記冷蔵室のドアが閉じている場合に前記ステップ（１）に戻るステップと、
（６）前記冷蔵室のドアの開閉前後の温度差と所定の基準温度とを比較し、前記温度差が前記基準温度よりも低い場合に、前記ステップ（１）に戻り、前記温度差が前記基準温度よりも大きい場合に、所定時間の間、前記ダンパーのバッフルを開放し前記ファンを駆動させ、前記圧縮器を駆動させないことにより、前記ダンパー上での氷の形成を防止するステップと
を含む、方法。
【請求項２】
冷蔵庫内のダンパー上での氷の形成を防止する方法であって、
前記方法は、
（１）冷凍室温度が冷凍室基準温度よりも低く且つ冷蔵室温度が冷蔵室基準温度よりも低い場合、圧縮器及びファンを駆動させてバッフルを開放するステップと、
（２）前記冷蔵室温度と前記冷蔵室基準温度とを比較し、前記冷蔵室温度が前記冷蔵室基準温度よりも低い場合に前記バッフルを閉鎖するステップと、
（３）前記冷凍室温度と前記冷凍室基準温度とを比較し、前記冷凍室温度が前記冷凍室基準温度よりも低い場合に前記圧縮器及び前記ファンを停止させるステップと、
（４）前記冷蔵庫の外部温度と外部基準温度とを比較し、前記冷蔵庫の外部温度が前記外部基準温度よりも高い場合に前記ステップ（１）に戻るステップと、
（５）前記冷蔵庫の外部温度が前記外部基準温度よりも低い場合に前記冷蔵室のドアが開放しているか否かを判断し、前記冷蔵室のドアが閉じている場合に前記ステップ（１）に戻るステップと、
（６）前記冷蔵室のドアの開閉前後の温度差と所定の基準温度とを比較し、前記温度差が前記基準温度よりも低い場合に、前記ステップ（１）に戻り、前記温度差が前記基準温度よりも大きい場合に、所定時間の間、前記ダンパーのバッフルを開放し前記ファンを駆動させるステップと
を含み、
前記ダンパーが２つのバッフルを有する場合は、前記ステップ（６）で前記２つのバッフルは所定間隙をおいて順次開放される、方法。
【請求項３】
前記冷凍室基準温度は−１８℃であり、前記冷蔵室基準温度は３℃であり、前記外部基準温度は８．５〜１２．５℃である、請求項１又は２に記載の方法。
【請求項４】
前記ステップ（６）におけるバッフルの開放時間及びファンの駆動時間は、おおよそ冷蔵室温度とバッフルの温度とが同じになるまでの時間と設定する、請求項１又は２に記載の方法。
【請求項５】
前記ステップ（６）におけるバッフルの開放時間及びファンの駆動時間は、バッフル面の温度が０℃になる時点までと設定する、請求項１又は２に記載の方法。
【発明の詳細な説明】
【０００１】
【発明の属する技術分野】
本発明は冷蔵庫の制御方法に関し、より詳しくは冷蔵室への冷気の選択的な供給のために冷気流路に設けられるダンパーに結氷ができることを防止する冷蔵庫用のダンパーの結氷防止方法に関する。
【０００２】
【従来の技術】
冷蔵庫は、冷媒の圧縮、凝縮、膨張、蒸発過程からなる冷凍サイクルを利用して、冷蔵庫の内部に保管されている食品等を所定の温度に保持する装置である。この冷蔵庫は、冷蔵室と冷凍室とからなる冷蔵庫本体と、前記冷蔵庫本体の所定位置に設けられ、冷凍サイクルの各過程を行う種々の機器とから構成される。冷凍サイクルを構成する機器は、圧縮器、蒸発器、膨張弁、凝縮器、ファン等からなる。
【０００３】
前記蒸発器は冷凍室の後方の熱交換チャンバに設けられる。冷媒は、前記蒸発器で周囲空気と熱交換して蒸発して気体状の冷媒となり、これによって周囲空気は冷却される。そして、蒸発器で冷媒と熱交換して冷却された空気（冷気）の一部はファンにより冷凍室に供給され、又一部は冷蔵室に供給される。冷蔵室への冷気の流入はダンパーによって調節される。
【０００４】
冷気は、このような過程を経て冷凍室及び冷蔵室に供給され、供給された冷気は内部に保管されている食品との熱交換過程を経て相対的に高温となり、高温となった空気は再度蒸発器に循環するようになっている。
【０００５】
図１は従来の冷蔵庫の正面図であり、図２は図１のＩ−Ｉ線上の断面図である。以下、これらを参照して従来の冷蔵庫及び冷蔵庫用のダンパーを説明する。
【０００６】
冷蔵庫１の内部は、断熱材の充填されたバリヤ３０によって冷凍室３と冷蔵室４とに分けられる。前記冷凍室３の後壁には熱交換チャンバ１０が形成されており、前記熱交換チャンバ１０には蒸発器１０ａが設けられている。バリヤ３０の内部には、熱交換チャンバ１０で熱交換された冷気が冷蔵室４へ移動し得るように冷気吐出流路１２が形成されている。又、前記バリヤ３０には、冷凍室３及び冷蔵室４を各々循環した冷気を再び熱交換チャンバ１０へ戻すための帰還流路１４、１６が、前記冷気吐出流路１２と重ならないように形成される。
【０００７】
一方、前記冷気吐出流路１２の出口側には冷蔵室に形成された冷気流路３６が連結されており、前記冷気流路３６の出口側には冷蔵室４への冷気の流入を制御するダンパー２０が設けられており、前記ダンパー２０の後側には冷蔵室４への冷気の吐出のための複数個の冷気吐出口３２、３４が形成されている。更に、冷蔵室４の内壁左右又は後壁には冷蔵室の温度の感知のための温度センサ９、１１が設けられている。
【０００８】
前記ダンパー２０は、冷気流路３６を選択的に遮断するバッフル２２、２２ａと、前記バッフル２２、２２ａを支持する板バネ２４、２４ａとからなる。前記バッフル２２、２２ａは、冷蔵室の温度センサ９、１１で測定された温度に基づいて機械的方式或いは電気的方式で制御される。
【０００９】
図１では、２つのバッフル２２、２２ａを有するダンパー２０を示しているが、１つのバッフルを有するダンパーを用いてもよい。
【００１０】
図１に示すように、２つのバッフル２２、２２ａを有するダンパーを用いる場合、一方のバッフル（第１バッフル）２２は冷蔵室の中層５に向かって冷気を吐出する冷気吐出口３２に連結される冷気流路３６を選択的に遮断し、他方のバッフル（第２バッフル）２２ａは冷蔵室の下層７に向かって冷気を吐出する冷気吐出口３４に連結される冷気流路３６を選択的に遮断する。この際、中層及び下層用の冷気吐出口３２、３４はそれぞれ独立して分離形成され、中層５及び下層７にそれぞれ温度センサ９、１１を設け、各々の温度センサ９、１１で２つのバッフル２２、２２ａをそれぞれ制御する。
【００１１】
次に、図１〜図３を参照して従来の冷蔵庫の制御方法を説明する。
【００１２】
まず、冷蔵庫１の作動可否を決定するために、冷凍室の温度センサ（図示せず）で測定した冷凍室温度(Tf)を冷凍室基準温度(Tf.ref)と比較する（Ｓ１）。比較の結果、冷凍室温度(Tf)が冷凍室基準温度(Tf.ref)よりも高い場合、冷蔵庫が作動する。即ち、冷凍サイクルがなされるために圧縮器及びファン（図示せず）が起動する（Ｓ３）。そして、冷蔵室温度(Tc)が冷蔵室基準温度(Tc.ref)よりも高い場合、冷蔵室４への冷気の供給のためにバッフル２２、２２ａが開放される（Ｓ５、Ｓ７）。これにより、蒸発器で熱交換して冷却された冷気は、冷凍室３、冷蔵室４へそれぞれ供給される。この後、冷蔵室温度(Tc)と冷蔵室基準温度(Tc.ref)とを再度比較し（Ｓ９）、冷蔵室温度(Tc)が冷蔵室基準温度(Tc.ref)以下であれば冷蔵室の過冷の防止のためにバッフル２２、２２ａが閉鎖される（Ｓ１０）。次には、冷凍室温度(Tf)と冷凍室基準温度(Tf.ref)とを比較し、冷凍室温度(Tf)が冷凍室基準温度(Tf.ref)以下であれば冷蔵庫の作動が停止する。すなわち、圧縮器及びファンの駆動が止まる（Ｓ１３、Ｓ１５）。
【００１３】
このような状態で冷凍室温度(Tf)が冷凍室基準温度(Tf.ref)より高くなると、再び圧縮器及びファンが駆動されて冷蔵庫が作動する（Ｓ１、Ｓ３）。上記過程が繰り返し行われることにより冷蔵庫が運転される。一般に、冷凍室基準温度(Tf.ref)は−１８℃であり、冷蔵室基準温度(Tc.ref)は３℃である。
【００１４】
一方、冷蔵庫の外部温度(Tout)が低温（ほぼ１０℃以下）であれば、冷蔵庫の内部と外部との温度差が小さく、冷凍室がめったに作動されないため、冷凍室での熱交換が殆どなくなって冷蔵庫の運転率が２０％以下に下がることになる。更に、冷蔵室温度(Tc)と外部温度(Tout)との差が大きくないことから、バッフル２２、２２ａがめったに開放されないため、冷蔵室の内部の冷気の流動が殆どない状態となる。
【００１５】
【発明が解決しようとする課題】
上記したように、外部温度(Tout)の低温時に冷蔵庫を使用する場合、従来の冷蔵庫では下記のような問題点があった。
【００１６】
バッフル２２、２２ａの開放された状態で圧縮器及びファンが駆動されると、冷気が冷蔵室４内で循環するので、ダンパー２０に結氷ができる恐れがない。しかしながら、冷凍室温度(Tf)／冷蔵室温度(Tc)が冷凍室基準温度(Tf.ref)／冷蔵室基準温度(Tc.ref)よりも低く、かつ、バッフル２２、２２ａが閉鎖されている状態では、圧縮器及びファンが停止しているので、この状態で冷蔵室に高温高湿の食品が投入される、或いは冷蔵室のドアの開閉等により冷蔵室に外部の低温高湿の空気が流入される場合、バッフル２２、２２ａの表面或いはその周囲の冷気流路３６等に湿気が付着して水滴が形成され、ひいてはこの水滴が氷になる結氷現象が発生する。言い換えれば、冷蔵室の温度条件が満たされてバッフル２２、２２ａが閉鎖されると、冷気が冷蔵室４へ流れることなくバッフル２２、２２ａの周囲に滞っているので、バッフル表面の温度が冷蔵室温度(Tc)よりも相対的に低温に保持される。これにより、冷蔵庫の外部からの低温高湿の空気或いは高温高湿の食品から蒸発した空気が、ダンパー２０のバッフル２２、２２ａ表面に接して前記バッフル２２、２２ａで結氷現象が起こる。また、バッフル２２、２２ａが閉鎖された状態であって、冷蔵室４内に冷気の流動が殆どないため、相対的に低温度に保持されるバッフル２２、２２ａの表面において結氷現象が更によく起こる。
【００１７】
このような現象は、上述したように、冷蔵庫を低温地域で用いる場合、つまり冷蔵庫の運転率が低い場合に一層顕著に現れる。
【００１８】
ダンパー２０に結氷現象が起こると、冷蔵室４の温度に応じてバッフル２２、２２ａの開閉を適切に調節することができず、結局冷蔵室４へ吐出される冷気を適切に制御することができない。このように、冷蔵庫の運転時に冷蔵室への冷気の調節が十分になされないために、冷蔵室温度(Tc)が冷蔵室基準温度(Tc.ref)よりも低温になって食品が冷却しすぎることにより、結果として結局食品が損傷されるという問題点があった。更に、冷蔵庫の消耗電力量が増加する問題点があった。
【００１９】
従来では、上記問題点を解決するために、バッフル２２、２２ａに結氷された氷を融かす方法を提案していた。しかし、このような方法では、ヒーターなどを設けなければならないため、冷蔵庫の製造コストが高くなり、構造が複雑となるという問題点があった。
【００２０】
本発明は上記の問題点を解決するためになされたものであり、その目的は、追加の装置を用いることなく効率よくダンパーの結氷を防止可能な冷蔵庫用のダンパーの結氷防止装置を提供することにある。
【００２１】
本発明の他の目的は、消費電力量を低減し、冷蔵室の過冷を防止する冷蔵庫用のダンパーの結氷防止装置を提供することにある。
【００２２】
【課題を解決するための手段】
上記目的を達するために、本発明は、冷凍室温度が冷凍室基準温度よりも低く且つ冷蔵室温度が冷蔵室基準温度よりも低い場合、圧縮器及びファンを駆動させてバッフルを開放する第１段階と、冷蔵室温度と冷蔵室基準温度とを比較し、前記冷蔵室温度が前記冷蔵室基準温度よりも低い場合、バッフルを閉鎖する第２段階と、冷凍室温度と冷凍室基準温度とを比較し、前記冷凍室温度が前記冷凍室基準温度よりも低い場合、圧縮器及びファンを停止させる第３段階と、冷蔵庫の外部温度と外部基準温度とを比較し、前記冷蔵庫外部温度が前記外部基準温度よりも高い場合、前記第１段階に戻り、前記冷蔵庫外部温度が前記外部基準温度よりも低い場合、冷蔵庫のドアが開放しているか否かを判断する第４段階と、冷蔵庫のドアの開閉前後の温度差と所定の基準温度とを比較し、前記温度差が前記基準温度よりも低い場合、まっすぐ第１段階に戻り、前記温度差が前記基準温度よりも大きい場合、所定時間の間ダンパーのバッフルを開放しファンを駆動させる第５段階とを備えることを特徴とする冷蔵庫用のダンパーの結氷防止方法を提供する。
【００２３】
ここで、前記冷凍室基準温度は−１８℃であり、前記冷蔵室基準温度は３℃であり、前記外部基準温度は８．５〜１２．５℃である。
【００２４】
更に、２つのバッフルを有する冷蔵庫の場合は、前記第５段階で２つのバッフルを同時に開放せず、まず冷気流路から遠くある第１バッフルを開放し、所定時間後に前記冷気流路から近くある第２バッフルを開放することが好ましい。
【００２５】
前記第５段階におけるバッフルの開放時間及びファンの駆動時間は、おおよそ冷蔵室温度とバッフルの温度とが同じくなるまでの時間と設定してもよい。
【００２６】
前記第５段階におけるバッフルの開放時間及びファンの駆動時間は、バッフル面の温度が０℃になる時点までと設定してもよい。
【００２７】
このように構成すれば、低温環境で冷蔵庫を使用するに際して発生するダンパーの結氷現象を防止することができる。
【００２８】
【発明の実施の形態】
以下、本発明の好適な実施形態を添付図面を参照して説明する。
【００２９】
図４は本発明を適用した冷蔵庫を概略的に示す正面図であり、図５は本実施形態による冷蔵庫用のダンパーの結氷防止方法を示す流れ図である。図４では２つのバッフルを有する冷蔵庫を示しているが、本発明はこれに限られるものではない。例えば、１つのバッフルを有する冷蔵庫に適用してもよい。
【００３０】
従来の冷蔵庫と同様な構成要素については同じ符号を付しその説明を省略する。又、従来の冷蔵庫の制御方法と同様な段階については同じ符号を付しその説明を省略する。
【００３１】
本発明の特徴は、冷蔵庫の周囲温度が低温の場合、冷蔵室に高温高湿の食品が投入されるか、または冷蔵室のドアが開けられて高湿の外気が流入される際、投入された食品または流入された外気の温度と冷蔵室温度との差を最小化してダンパーと冷気流路等その周囲での結氷を防止することにある。
【００３２】
以下、図４を参照して本発明を適用した冷蔵庫の構造を説明する。
【００３３】
本実施形態による冷蔵庫の構成は従来の冷蔵庫と同様である。本発明では、冷蔵庫の使用環境つまり冷蔵庫外部温度(Tout)を感知して冷蔵庫を適切に制御するために、外部温度感知用のセンサ４０を冷蔵庫の外部に設ける。さらに、バッフル２２、２２ａの表面の温度を感知するためのバッフル温度感知用のセンサ５０を、バッフル２２、２２ａの所定位置に設ける。
【００３４】
次に、図４、図５を参照して本実施形態による冷蔵庫用のダンパーの結氷防止方法を説明する。
【００３５】
冷凍室のセンサ（図示せず）で測定された冷凍室温度(Tf)が、冷凍室基準温度(Tf.ref：通常は−１８℃）に達しない場合には冷蔵庫が運転される（Ｓ１、Ｓ３）。そして、冷蔵室の温度センサ９、１１で感知された冷蔵室温度(Tc)が冷蔵室基準温度(Tc.ref)に達しない場合にはダンパー２０のバッフル２２、２２ａが開放される。これにより、蒸発器で冷却された冷気は冷凍室３、冷蔵室４に供給される（Ｓ５、Ｓ７）。その後、冷蔵室温度(Tc)が冷蔵室基準温度(Tc.ref；通常は３℃）に達すると、冷蔵室４へ冷気が供給されないようにダンパーのバッフル２２、２２ａが閉鎖される（Ｓ９、Ｓ１０）。その後、冷凍室温度(Tf)が冷凍室基準温度(Tf.ref)になるまで冷蔵庫が運転される（Ｓ１３）ことにより、冷凍室温度(Tf)が冷凍室基準温度(Tf.ref)に達すると、圧縮器及びファンが止まる（Ｓ１５）。上記過程は従来の冷蔵庫の制御方法と同様である。
【００３６】
この状態で、外部温度感知用のセンサ４０によって冷蔵庫外部温度(Tout)を感知する。外部温度(Tout)が所定の外部基準温度(Tout.ref)よりも高い時には、冷蔵室に高温高湿の食品が投入されても低温多湿の空気が流入されても、冷蔵庫の運転率が高く、冷気の流動がしきりに起こるため、ダンパー２０のバッフル２２、２２ａに結氷ができる恐れが少ない。よって、従来と同様に冷蔵庫は制御される（Ｓ２０）。
【００３７】
しかし、従来技術で説明したように、外部温度(Tout)が外部基準温度(Tout.ref)より低い場合、冷蔵室４への高湿の空気の流入時にダンパー２０のバッフル２２、２２ａ及びその周囲に結氷ができる恐れがあるため、これを防止しなければならない。
【００３８】
結氷の発生の基準となる前記外部基準温度(Tout.ref)はほぼ８．５℃〜１２．５℃とする。なぜならば、外部温度(Tout)がほぼ８．５℃〜１２．５℃になる時、冷蔵庫の運転率が２０％以下に下がり、冷蔵室４内の冷気の流動がめったに起こらず、ダンパー２０に結氷ができる恐れが大きいからである。この際、この外部基準温度(Tout.ref)は、固定された値でなく、冷凍室基準温度(Tf.ref)、冷蔵室基準温度(Tc.ref)、冷蔵庫の使用環境などの条件に鑑みて適切に設定可能である。
【００３９】
一方、測定された外部温度(Tout)が外部基準温度(Tout.ref)より低い場合、冷蔵室のドアが開放しているか否かを感知する（Ｓ２０、Ｓ２２）。冷蔵室のドアが開けられていると、外部の空気が冷蔵室４の内部へ流入され、これによって冷蔵室温度(Tc)が上昇する。冷蔵室温度(Tc)が所定の基準温度(Tc.ref)以上に上昇すると、流入された外気と冷蔵室温度との温度差によりダンパー２０に結氷ができる恐れがあるため、所定時間にわたってバッフル２２、２２ａを開放しファンを駆動させる（Ｓ２６）。すなわち、冷蔵室のドアの開閉前後の温度差(Tc−Tc.ref)が、基準温度(Tref)よりも高いか否かを判断し、もし前記基準温度(Tref)より高い場合、バッフル２２、２２ａを開放しファンを駆動させる。そして、バッフル２２、２２ａの開放時間及びファンの駆動時間の経過後、再びバッフル２２、２２ａを閉鎖しファンを停止させることで正常的な運転条件に戻る（Ｓ２６）。
【００４０】
ここでは、冷蔵室のドアの開閉前後の温度差を計算する際、冷蔵室のドアの開放前の温度を冷蔵室基準温度(Tc.ref)と見なして計算しているが、冷蔵室のセンサ９、１１により冷蔵室のドアの開放前に測定した温度を使用してもよい。また、結氷の発生の恐れがあるか否かを判断する基準温度(Tref)は実験によって適切に設定可能である。
【００４１】
前記バッフル２２、２２ａの開放時間及びファンの駆動時間は、バッフル２２、２２ａの温度と冷蔵室の温度とが同じくなるまでの時間と設定する。なぜならば、冷蔵室温度(Tc)と投入食品或いは外気との温度差により、相対的に低温のバッフル２２、２２ａ又は冷気流路に結氷が発生するからである。前記設定時間は、上記条件を満たすように実験を通じて決定することができる。
【００４２】
尚、バッフル及びファンの駆動時間を設定する他の基準として、バッフルに装着されたバッフル温度感知用のセンサ５０で感知されたバッフル面の温度が０℃以上になる時点までと設定してもよい。なぜならば、バッフル面の温度が０℃以上になると、バッフル面に付着した湿気が氷になる可能性がないからである。
【００４３】
上述の実施形態では、バッフル２２、２２ａの開閉とファンの駆動とを連動させている（Ｓ２６）が、バッフル２２、２２ａだけ開放しファンは駆動させなくてもよい。しかし、上述したようにバッフル２２、２２ａの開放とともにファンを駆動させると、冷蔵庫内で冷気の循環が活発になり、これによりダンパーのバッフル２２、２２ａに結氷ができるのが一層効率よく防止される。
【００４４】
上述したような一連の制御過程はマイコンに入力され、前記マイコンは入力される各種のセンサの情報に基づいて圧縮器、ファン、バッフルなどの駆動を制御する。上述したように、本発明によれば、低温環境で冷蔵庫を用いる際、冷蔵室に高温高湿の食品が投入されても冷蔵室に高湿の外気が流入されても、ダンパー２０のバッフル２２、２２ａに結氷ができない。
【００４５】
本発明による冷蔵庫用のダンパーの結氷防止方法により、周囲温度の変化に従う冷蔵庫のドアの開閉試験及び高温高湿負荷投入試験の結果、バッフル２２、２２ａ及びその周囲に結氷現象が発生しなかった。結局、本発明によれば、バッフル２２、２２ａに結氷された氷を除去するためのヒーターなどの装置を使用しなくてもよいので、冷蔵庫の製造コストを低減可能である。また、ダンパー２０の結氷が防止されるので、前記ダンパー２０を適切に制御することができ、冷蔵室の過冷及び消費電力の損失を防止することができる。
【００４６】
一方、前記実施形態を、冷蔵室の層別で冷気を制御するための２つのバッフルを有するダンパーを設けた冷蔵庫に適用する際は、前記実施形態を変形することが好ましい。なぜならば、２つのバッフルが同時に開放されると、図６ａに示すように２つのバッフル２２、２２ａに均一に冷気が分配されず、図６ｂに示すように、冷気流路に近くあるバッフル２２ａに大分の冷気が流れ、遠くあるバッフル２２への冷気の流れが弱くなって結氷の発生の恐れがあるからである。特に、このような現象は、バッフル２２、２２ａの開放状態でファンが停止される場合に更にひどくなる。
【００４７】
上記問題点を解消するための方法を、図４及び図７を参照して説明する。
【００４８】
まず、外部温度(Tout)を測定可能な外部温度感知用のセンサ４０を冷蔵庫１の外部に設け、前記センサ４０で測定された外部温度(Tout)に基づいて冷蔵庫の作動を制御することは上述の実施形態と同様である。また、圧縮器及びファンの停止後、冷蔵庫のドアの開放を感知して冷蔵庫のドアの開閉前後の温度差を比較する段階（Ｓ２２、Ｓ２４）までは前述の制御方式と同様であるため、これに対する詳細な説明を省略する。
【００４９】
冷蔵庫のドアの開閉前後の温度差が設定基準以上では、まず冷気流路から近く形成された第２バッフルつまり下層用のバッフル２２ａは閉鎖し、遠く形成された第１バッフルつまり中層用のバッフル２２は開放する。これにより、冷気は前記中層用のバッフル２２に流れ、ファンも駆動される（Ｓ３０）。この際、冷蔵室４の高温高湿の空気が、対流により上部に向かって上昇して中層用のバッフル２２に流入されようとするが、前記中層用のバッフル２２から吐出される冷気によりここに高湿の空気が接近し難くなり、冷気と熱交換しながら下降されることにより、前記中層用のバッフル２２での結氷が防止される。
【００５０】
この後、この状態で所定時間の経過後、冷気の吐出されない下層用のバッフル２２ａに向かって空気が下降するが、前記下層用のバッフル２２ａには冷気が流れないため、ここに結氷が発生しようとする。この際、下層用のバッフル２２ａに結氷が発生しようとする時点（圧縮器停止後の所定時間の経過後）で前記下層用のバッフル２２ａを追加開放させて、前記下層用のバッフル２２ａの結氷を防止する（Ｓ３２）。ここで、中層用のバッフル２２を開放する時間と下層用のバッフル２２ａを開放する時間との時間間隙は、冷凍室基準温度(Tf.ref)、冷蔵室基準温度(Tc.ref)、冷蔵庫の使用環境などに鑑みて実験によって適切に設定可能である。所定時間の経過後、上述の実施形態と同様に、ダンパーのバッフル２２、２２ａでの結氷の恐れがなくなるので、中層用のバッフル２２及び下層用のバッフル２２ａを閉鎖しファンの駆動を停止させる（Ｓ３４）。
【００５１】
【発明の効果】
本発明の効果を確かめるために、従来の方法及び本発明の方法で外部温度(Tout)の変化に従う冷蔵庫のドアの開閉試験並びに高温高湿負荷（食品）投入試験を施した。すなわち、冷蔵庫の外部温度(Tout)を８．５℃〜１２．５℃とし、圧縮器の駆動を停止させた状態で、一方は従来の方法に従って中層用のバッフル２２及び下層用のバッフル２２ａを共に開放し、他方は本発明に従って中層用のバッフル２２を先開放し、圧縮器の駆動停止後約２０分経過時に下層用のバッフル２２ａを開放した。この後、各々のバッフル２２、２２ａの結氷状態を比較してみた。その結果、従来の方法による場合では、下層用のバッフル２２ａの表面には結氷現象がなかったが、中層用のバッフル２２の表面には結氷現象が起こった。これに対して、本発明による場合では、中層用のバッフル２２及び下層用のバッフル２２ａに結氷現象が殆ど生じなかった。
【００５２】
更に、本発明によれば、まず中層用のバッフル２２を開放して冷気を吐出させるので、上昇された熱い空気を急に冷却して下降させる。この際、下層用のバッフル２２ａを追加開放して冷気を吐出させることで空気を再び冷却させるので、冷蔵庫の内部をより効率よく冷却させることができる。
【図面の簡単な説明】
【図１】一般な冷蔵庫を概略的に示す正面図である。
【図２】図１のＩ−Ｉ線上の断面図である。
【図３】従来の冷蔵庫の制御方法を示す流れ図である。
【図４】本発明による冷蔵庫用のダンパーの結氷防止方法を適用した冷蔵庫を概略的に示す正面図である。
【図５】本発明による冷蔵庫用のダンパーの結氷防止方法の一実施形態を示す流れ図である。
【図６】（ａ）および（ｂ）は、２つのバッフルを有するダンパーを概略的に示す、冷気の流動を説明するための断面図である。
【図７】本発明による冷蔵庫用のダンパーの結氷防止方法の他の実施形態を示す流れ図である。
【符号の説明】
１  冷蔵庫
３  冷凍室
４  冷蔵室
５  中層
７  下層
９  温度センサ
１０  熱交換チャンバ
１１  温度センサ
１２  冷気吐出流路
１４、１６帰還流路
２０  ダンパー
２２  バッフル
２２ａ  バッフル
２４  板バネ
２４ａ  板バネ
３０  バリヤ
３２  冷気吐出口
３４  冷気吐出口
４０  外部温度感知用のセンサ
【図１】
0004159172.tif 000002
【図２】
0004159172.tif 000003
【図３】
0004159172.tif 000004
【図４】
0004159172.tif 000005
【図５】
0004159172.tif 000006
【図６】
0004159172.tif 000007
【図７】
0004159172.tif 000008